(57)【要約】【課題】平面視における調理容器の中心とコンロバーナの中心とが一致しない状態でコンロバーナによる加熱調理が実行されてしまい、コンロバーナによる調理容器の加熱に係る熱効率が低下する不経済的な状態が生じることを抑制し、平面視において調理容器の外縁から径外にはみ出す炎によって、調理容器に具備する把持部が不要に加熱されてしまうことが抑制された状態での加熱調理を行うことを可能にする。【解決手段】補助五徳が、五徳爪に被嵌して当該補助五徳を五徳爪に対して水平方向に位置決めする位置決め部と、位置決め部が五徳爪に被嵌した状態において、平面視において五徳に対して中心から遠ざかる位置に配設され、その平面視における中心がコンロバーナの中心と一致するように構成された、円環状のリング部材とを備え、さらに、リング部材の上端位置を五徳の高さ位置と同一高さに維持する、リング高さ維持部を具備する。【選択図】図５
2020122619.tif 000002
【特許請求の範囲】
【請求項１】
コンロバーナを備え、前記コンロバーナの周囲に配設される五徳を備えたガスコンロであって、前記五徳が五徳爪と五徳爪の基端部が止着される五徳枠とから構成されており、前記五徳爪が、上方に延びる立ち上がり部と、立ち上がり部の上端から、平面視におけるコンロバーナの中心に向けて水平方向に延びる横引き部とを備える形態に構成されたガスコンロと共に用いられる補助五徳において、
当該補助五徳が、前記五徳爪に被嵌して当該補助五徳を前記五徳爪に対して水平方向に位置決めする位置決め部と、
前記位置決め部が前記五徳爪に被嵌した状態において、平面視において前記五徳に対して前記中心から遠ざかる位置に配設され、その平面視における中心が前記コンロバーナの中心と一致するように構成された、円環状のリング部材と、
を備え、さらに、
前記リング部材の上端位置を前記五徳の高さ位置と同一高さに維持する、リング高さ維持部を具備することを特徴とするガスコンロと共に用いられる補助五徳。
【請求項２】
請求項１に記載されたガスコンロと共に用いられる補助五徳において、
前記リング部材を、夫々の直径が異なる形態で複数備えることを特徴とするガスコンロと共に用いられる補助五徳。
【請求項３】
前記五徳の構成と請求項１または請求項２の補助五徳の構成とを一体に備える補助五徳一体型五徳。
【発明の詳細な説明】
【技術分野】
【０００１】
本発明は、五徳を具備するガスコンロと共に用いられる補助五徳、および、前記補助五徳の構成を一体に備える補助五徳一体型五徳に関する。
【背景技術】
【０００２】
円環状のコンロバーナを備え、このコンロバーナの周囲に配設される五徳を備えたガスコンロが知られている。（例えば、特許文献１）
【０００３】
特許文献１に記載のガスコンロでは、五徳が、五徳爪と五徳爪の基端部が止着される五徳枠とから構成されている。
【０００４】
そして、五徳爪は、上方に延びる立ち上がり部と、立ち上がり部の上端から、平面視におけるコンロバーナの中心に向けて水平方向に延びる横引き部とを備える形態に構成されている。
【０００５】
ガスコンロにて加熱される調理容器は、複数の五徳爪の横引き部に亘って、横引き部上に載置され、調理容器が、五徳によって安定して支持される。
【０００６】
なお、特許文献１のように円環状のコンロバーナを備えたガスコンロの場合、円環状のコンロバーナの周縁に同心円状に炎が形成されるため、五徳上に調理容器を載置するときに、平面視における調理容器の中心と円環状のコンロバーナとが一致するように、つまり、平面視における外形が円である調理容器の場合、調理容器とコンロバーナとが平面視において同心円となるように調理容器を五徳上に載置することで、コンロバーナによる調理容器の加熱に係る熱効率が大きくなり経済的であると共に、平面視において調理容器の外縁から径外にはみ出す炎によって、調理容器に具備する把持部が不要に加熱されないため好都合である。
【０００７】
しかしながら、五徳には所定の高さ寸法を有するため、調理容器の底面が五徳によって支持された状態では、調理容器の底面がコンロバーナの上端よりある程度高い位置に支持されるため、使用者が目視によって、調理容器とコンロバーナとが平面視において同心円となるように調理容器を五徳上に載置することは容易ではない。
【０００８】
このため、平面視における調理容器の中心とコンロバーナの中心とが一致しない状態でコンロバーナによる加熱調理が実行され、コンロバーナによる調理容器の加熱に係る熱効率が低下する不経済的な状態が生じたり、平面視において調理容器の外縁から径外にはみ出す炎によって、調理容器に具備する把持部が不要に加熱されてしまったり、という不都合が生じることになり、改善が望まれる。
【先行技術文献】
【特許文献】
【０００９】
【特許文献１】特開２０１７−１８０８６８号公報
【発明の概要】
【発明が解決しようとする課題】
【００１０】
本発明は、上記課題を解決するために成されたものであり、その目的は、平面視における調理容器の中心とコンロバーナの中心とが一致しない状態でコンロバーナによる加熱調理が実行されてコンロバーナによる調理容器の加熱に係る熱効率が低下する不経済的な状態が生じることが抑制され、また、平面視において調理容器の外縁から径外にはみ出す炎によって、調理容器に具備する把持部が不要に加熱されてしまうことが抑制された状態での加熱調理を可能にする、五徳を具備するガスコンロと共に用いられる補助五徳、および、前記補助五徳の構成を一体に備える補助五徳一体型五徳を提供する点にある。
【課題を解決するための手段】
【００１１】
上記課題を解決するために、本願発明によるガスコンロと共に用いられる補助五徳は、コンロバーナを備え、前記コンロバーナの周囲に配設される五徳を備えたガスコンロであって、前記五徳が五徳爪と五徳爪の基端部が止着される五徳枠とから構成されており、前記五徳爪が、上方に延びる立ち上がり部と、立ち上がり部の上端から、平面視におけるコンロバーナの中心に向けて水平方向に延びる横引き部とを備える形態に構成されたガスコンロと共に用いられる補助五徳において、当該補助五徳が、前記五徳爪に被嵌して当該補助五徳を前記五徳爪に対して水平方向に位置決めする位置決め部と、前記位置決め部が前記五徳爪に被嵌した状態において、平面視において前記五徳に対して前記中心から遠ざかる位置に配設され、その平面視における中心が前記コンロバーナの中心と一致するように構成された、円環状のリング部材と、を備え、さらに、前記リング部材の上端位置を、前記五徳の高さ位置と同一高さに維持する、リング高さ維持部を具備する点を特徴とする。
【００１２】
また、前記リング部材を、夫々の直径が異なる形態で複数備えることが好ましい。
【００１３】
また、前記五徳の構成と前記補助五徳の構成とを一体に備える補助五徳一体型五徳とすることも好ましい。
【００１４】
本願発明によるガスコンロと共に用いられる補助五徳は、上記のように構成されており、
平面視において五徳に対して中心から遠ざかる位置に配設され、その平面視における中心がコンロバーナの中心と一致するように構成された、円環状のリング部材とを備え、さらに、リング部材の上端位置が、五徳の高さ位置と同一高さに維持されるので、五徳上に載置された調理容器と、円環状のリング部材との中心を一致させることが容易で、調理容器と、円環状のリング部材との中心を一致させることで、コンロバーナの中心と調理容器の中心とが一致して、平面視において、調理容器がコンロバーナと同心円となり、その結果、平面視における調理容器の中心とコンロバーナの中心とが一致しない状態でコンロバーナによる加熱調理が実行されてコンロバーナによる調理容器の加熱に係る熱効率が低下する不経済的な状態が生じることが抑制され、また、平面視において調理容器の外縁から径外にはみ出す炎によって、調理容器に具備する把持部が不要に加熱されてしまうことが抑制された状態での加熱調理を可能にすることが可能な、五徳を具備するガスコンロと共に用いられる補助五徳とすることができる。
【００１５】
また、前記リング部材を、夫々の直径が異なる形態で複数備えるように構成した場合、調理容器の広い範囲の外径に対して、請求項１による効果をあらしめることが可能となる。
【００１６】
また、前記五徳の構成と前記補助五徳の構成とを一体に備える補助五徳一体型五徳とした場合、前記五徳への前記補助五徳を装着する際の装着間違いが抑制される。
【発明の効果】
【００１７】
本発明によって、平面視における調理容器の中心とコンロバーナの中心とが一致しない状態でコンロバーナによる加熱調理が実行されてコンロバーナによる調理容器の加熱に係る熱効率が低下する不経済的な状態が生じることが抑制され、また、平面視において調理容器の外縁から径外にはみ出す炎によって、調理容器に具備する把持部が不要に加熱されてしまうことが抑制された状態での加熱調理を行うことが可能な、五徳を具備するガスコンロと共に用いられる補助五徳とすることができる。
【００１８】
また、前記リング部材を、夫々の直径が異なる形態で複数備えるように構成した場合、調理容器の広い範囲の外径に対して、本発明による効果をあらしめることが可能となる。
【００１９】
また、前記五徳への前記補助五徳を装着する際の装着間違いが抑制される。
【図面の簡単な説明】
【００２０】
【図１】本発明の補助五徳が用いられるガスコンロのトッププレートから上の部分を示し、（ａ）は斜め上方より見た斜視図であり、（ｂ）は平面図である。
【図２】本発明の補助五徳が用いられるガスコンロに具備する五徳を示し、（ａ）斜め上方より見た斜視図、（ｂ）平面図である。
【図３】本発明による一実施形態の補助五徳の平面図である。
【図４】本発明による一実施形態の補助五徳の側断面図である。
【図５】本発明の補助五徳が用いられるガスコンロに具備する五徳の周囲に、本発明による一実施形態の補助五徳を配置した状態を示す平面図である。
【図６】本発明の別実施形態の補助五徳の平面図である。
【発明を実施するための形態】
【００２１】
以下、本発明を添付図面に示す実施形態に基づいて説明する。
【００２２】
本発明による補助五徳０５が用いられるガスコンロは、コンロバーナ１１を備え、コンロバーナ１１は、トッププレート０１に配設されている。（図１参照。）
【００２３】
コンロバーナ１１の周囲の前記トッププレート０１上には五徳０４が載置される。（図１参照。）
【００２４】
なお、五徳０４は、五徳爪４２と五徳爪４２の基端部ｋが止着される五徳枠４１とから構成されている。（図２参照。）
【００２５】
また、五徳爪４２は、上方に延びる立ち上がり部４２ｔと、立ち上がり部４２ｔの上端から、平面視におけるコンロバーナ１１の中心に向けて水平方向に延びる横引き部４２ｙとを備える形態に構成されている。（図２参照。）
【００２６】
そして、補助五徳０５が、五徳爪４２に被嵌して補助五徳０５を五徳爪４２に対して水平方向に位置決めする位置決め部５１を備える。（図３、図４、図５参照。）
【００２７】
なお、位置決め部５１は、後述するリング高さ維持部６３の内周側に具備し、リング高さ維持部６３と位置決め部５１とで、五徳爪４２を挟み込むようにして、補助五徳０５が、五徳爪４２に対して水平方向に位置決めされる。
【００２８】
本実施形態では、リング高さ維持部６３を６か所に備え、６か所に備えるリング高さ維持部６３の夫々に位置決め部５１を６個備えるように構成されている。
【００２９】
また、位置決め部５１が五徳爪４２に被嵌した状態において、平面視において五徳０４に対してコンロバーナ１１の中心から遠ざかる位置に配設され、その平面視における中心がコンロバーナ１１の中心と一致するように構成された、円環状のリング部材０６を備える。（図３、図４、図５参照。）
【００３０】
さらに、リング部材０６の上端位置を五徳０４の高さ位置と同一高さに維持する、リング高さ維持部６３を具備する。（図３、図４、図５参照。）
【００３１】
なお、本実施形態では、リング部材０６の上端位置を五徳０４の高さ位置と同一高さに維持する、リング高さ維持部６３を具備するものであるので、調理容器の中心がコンロバーナ１１の中心から大きくずれて、調理容器が載置された場合であっても、リング部材０６によって調理容器が支持されることになり、補助五徳０５を用いない場合と比較して、調理容器が安定して支持されることになり、この点においても都合がよい。
【００３２】
なお、補助五徳０５は、耐熱ホーローによってコーティングされており、良好な外観を有する。
【００３３】
本実施形態の補助五徳０５はこのように構成されており、調理容器の底面とリング部材０６との高さ位置が略同一高さとなり、調理容器の外周縁とリング部材０６とを同心円状に配設することが容易に行えるので、平面視における調理容器の中心とコンロバーナ１１の中心とが一致しない状態でコンロバーナ１１による加熱調理が実行されてコンロバーナ１１による調理容器の加熱に係る熱効率が低下する不経済的な状態が生じることが抑制され、また、平面視において調理容器の外縁から径外にはみ出す炎によって、調理容器に具備する把持部が不要に加熱されてしまうことが抑制された状態での加熱調理を行うことが可能な、五徳０４を具備するガスコンロと共に用いられる補助五徳０５とすることができている。
【００３４】
なお、本実施形態においては、リング部材０６と同心円となるように第２リング部材６２を備え、リング部材０６を、夫々の直径が異なる形態で複数備える。
【００３５】
このように、リング部材０６を、夫々の直径が異なる形態で複数備えることで、調理容器の広い範囲の外径に対して、本発明による効果をあらしめることが可能となる。
【００３６】
なお、上記実施形態においては、６か所に備えるリング高さ維持部６３の夫々に、位置決め部５１を６個備えるように構成されているものであったが、６か所に備えるリング高さ維持部６３の３か所に、位置決め部５１を３個備えるように構成してもよい。（図６参照。）
【００３７】
また、上記実施形態においては、リング高さ維持部６３を６か所に備えるものであるが、リング高さ維持部６３を備える位置は、６か所に限定されない。
ただし、リング高さ維持部６３の数は、３か所以上であることが好ましい。
【００３８】
五徳０４の構成および補助五徳０５の構成を一体に備えることで、補助五徳一体型五徳０７を構成することになる。
【００３９】
この場合、位置決め部５１を備える必要はなく、位置決め部５１は省略してもよい。
【００４０】
また、補助五徳一体型五徳０７を構成する場合、リング高さ維持部６３を備える必要はなく、リング高さ維持部６３は省略してもよい。
【００４１】
また、補助五徳一体型五徳０７を構成する場合、リング高さ維持部６３として、五徳０４に備える横引き部４２ｙを径外方向に延長したものを援用してもよい。
【００４２】
なお、発明は、上記実施形態に限定されるものではなく、本発明の範囲内において種々の変形を加えることが可能である。
【符号の説明】
【００４３】
０１    トッププレート
１１    コンロバーナ
０４    五徳
４１    五徳枠
４２    五徳爪
４２ｋ    基端部
４２ｔ    立ち上がり部
４２ｙ    横引き部
０５    補助五徳
５１    位置決め部
０６    リング部材
６２    第２リング部材
６３    リング高さ維持部
０７    補助五徳一体型五徳
【図１】
2020122619.tif 000003
【図２】
2020122619.tif 000004
【図３】
2020122619.tif 000005
【図４】
2020122619.tif 000006
【図５】
2020122619.tif 000007
【図６】
2020122619.tif 000008